(57)【要約】【課題】  使用者が自分で環状のゴム紐を交換することができる髪止め具用のゴム紐取付台を提供する。【解決手段】  環状のゴム紐１１を利用して頭髪を束ねる種類の髪止め具において、頭髪を装飾するための装飾体２２にゴム紐１１を取り付けるためのゴム紐取付台Ｍ。ゴム紐取付台Ｍは、装飾体２２に連結される取付部３１と、ゴム紐１１を保持するために、取付部３１における、装飾体２２に連結される側とは反対側に設けられる保持部４２と、を備える。保持部４２が、ゴム紐１１を挿通させるための挿通孔４４と、挿通孔４４の周縁を構成する周壁部４６と、を備える。周壁部４６に、縮径された状態でのゴム紐１１の出入りを許容するべく、挿通孔４４の軸方向に沿って、周壁部４６を全長に亘って分断し挿通孔４４の内と外とを連通させるように延びる連通開口部５１が設けられる。【選択図】  図２
2019000535.tif 000002
【特許請求の範囲】
【請求項１】
環状のゴム紐を利用して頭髪を束ねる種類の髪止め具において、頭髪を装飾するための装飾体に前記ゴム紐を取り付けるためのゴム紐取付台であって、
前記装飾体に連結される取付部と、
前記ゴム紐を保持するために、前記取付部における、前記装飾体に連結される側とは反対側に設けられる保持部と、を備え、
前記保持部が、前記ゴム紐を挿通させるための挿通孔と、前記挿通孔の周縁を構成する周壁部と、を備え、
前記周壁部に、縮径された状態での前記ゴム紐の出入りを許容するべく、前記挿通孔の軸方向に沿って、前記周壁部を全長に亘って分断し前記挿通孔の内と外とを連通させるように延びる連通開口部が設けられる
ことを特徴とする、髪止め具のゴム紐取付台。
【請求項２】
前記周壁部が、前記取付部側において前記挿通孔の周縁を構成する部位である底壁部と、前記底壁部と対向する側において前記挿通孔の周縁を構成する部位である天井壁部と、前記底壁部と前記天井壁部との間において前記挿通孔の周縁を構成する部位である一対の側壁部と、
を備え、
前記連通開口部が、前記側壁部のいずれか一方における、前記天井壁部から離れた前記底壁部側の位置に設けられる
ことを特徴とする請求項１に記載の髪止め具のゴム紐取付台。
【請求項３】
前記挿通孔の軸直交方向における断面図において、前記連通開口部が、前記周壁部の周方向における開口幅を、前記周壁部の外周側から内周側に向かって狭めるような形状に形成されることを特徴とする請求項１または請求項２に記載の髪止め具のゴム紐取付台。
【請求項４】
前記ゴム紐取付台における連通開口部を臨む正面視において、前記連通開口部の前記挿通孔の軸方向における少なくとも一方の端部が、前記周壁部の端縁から中間部位に向かって上下方向の開口幅を徐々に狭めるように形成されていることを特徴とする請求項１から請求項３のいずれかに記載の髪止め具のゴム紐取付台。
【請求項５】
前記取付部が、前記保持部より外方に突出するように設けられる鍔部を備え、前記鍔部における前記保持部を挟んだ両側の位置に一対の取付孔が設けられることを特徴とする請求項１から請求項４のいずれかに記載の髪止め具のゴム紐取付台。
【請求項６】
頭髪を束ねるための環状のゴム紐と、
前記ゴム紐で束ねた頭髪の部位の外周側に配置されて頭髪を装飾する装飾体と、を備える髪止め具であって、
前記装飾体に請求項１から請求項５のいずれかのゴム紐取付台が結合され、前記ゴム紐が前記ゴム紐取付台の前記挿通孔に挿通されてなる
ことを特徴とする髪止め具。
【発明の詳細な説明】
【技術分野】
【０００１】
本発明は、環状のゴム紐を利用して頭髪を束ねる種類の髪止め具において、頭髪を装飾するための装飾体にゴム紐を取り付けるためのゴム紐取付台に関する。
【背景技術】
【０００２】
長い頭髪を束ねる道具としては、環状のゴム紐が広く普及している。そしてゴム紐を用いて頭髪を束ねる際に、ゴム紐がそのまま見えてしまっては外観的に優雅さに欠けるので、ゴム紐と、ゴム紐を目立たなくしつつ頭髪を装飾する装飾体とが予め一体化された髪止め具も知られている。そのような髪止め具の一種として、頭髪を束ねる環状のゴム紐と、着用時に頭髪を束ねたゴム紐の外周側に配置される装飾体と、装飾体の裏面に配置されて、ゴム紐を装飾体に取付けるゴム紐取付台と、を備えたものがあった。ゴム紐取付台はトンネル状の挿通孔を有し、環状ゴム紐は該挿通孔に挿通されて装飾体と一体化されていた。
【０００３】
その種の従来の髪止め具では、一定期間使用されるうちに、装飾体の方は未だ使用に堪える状態であるのにも関わらず、ゴム紐が伸びてしまったり、切れてしまったりすることがある。その場合にゴム紐の交換をしたいと思っても、ゴム紐が市場において通常環状で提供されるものである一方、ゴム紐取付台の挿通孔が、軸方向の両端部にゴムを突出させる突出口を有してなる、単なるトンネル状に形成されているために、環状のゴム紐を挿通孔に通すことはできなかった。環状にされていない線状のゴム紐を突出口を経て挿通孔に挿通させ、その後ゴム紐の両端を結んで環状にすることも考えられるが、その種の髪止め具に使用するゴム紐は径が３ｍｍから５ｍｍ程度の太いタイプのものであることが多いために固く結ぶのが容易ではなく、また結んだ場合には結び目が巨大となって外観が劣るという不都合があった。このような理由により自分でゴム交換ができないため、使用者は、髪止め具の製造業者にゴム紐の交換を依頼する必要があったが、その場合には、製造業者の店舗まで出向かねばならないのに加えて、市販のゴム紐を使用する場合と比較して修理費用がかさむという問題があった。修理の依頼が難しい場合には、まだ使用可能であるお気に入りの装飾体も、もはや使用をあきらめるしかなかった。
【０００４】
なお、上述の従来の実施形態は、公然に実施されているものであり、出願人はこの従来の実施形態が記載された文献を、本願出願時において知得していない。
【発明の概要】
【発明が解決しようとする課題】
【０００５】
そこで本発明は、使用するゴム紐が環状のものであっても、使用者が自分でゴム紐を交換することを可能とする髪止め具のゴム紐取付台と、このゴム紐取付台を備えた髪止め具と、を提供することを目的とする。
【課題を解決するための手段】
【０００６】
本発明に係るゴム紐取付台は、環状のゴム紐を利用して頭髪を束ねる種類の髪止め具において、頭髪を装飾するための装飾体にゴム紐を取り付けるためのゴム紐取付台であって、
装飾体に連結される取付部と、
ゴム紐を保持するために、取付部における、装飾体に連結される側とは反対側に設けられる保持部と、を備え、
保持部が、ゴム紐を挿通させるための挿通孔と、挿通孔の周縁を構成する周壁部と、を備え、
周壁部に、縮径された状態でのゴム紐の出入りを許容するべく、挿通孔の軸方向に沿って、周壁部を全長に亘って分断し挿通孔の内と外とを連通させるように延びる連通開口部が設けられる
ことを特徴とする。
【０００７】
このようなゴム紐取付台においては、環状のゴム紐が切れたり伸びてしまったりした際に、古いゴム紐を取り除き、新しいゴム紐を連通開口部に沿って配置し、保持部の両脇に配置されたゴム紐の部位を両手で把持し、挿通孔の内部に向かって押し込むように力を加えれば、ゴム紐が縮径して連通開口部を通行し、挿通孔の内部に収容されるから、髪止め具に使用された場合には、使用者が自分で古い環状ゴム紐を新しい環状ゴム紐と交換することができ、お気に入りの装飾体をさらに長く使用することができる。また連通開口部は、ゴム紐を縮径させて通行させる構成としているため、一旦挿通孔の内部に収容されて外径を復元させたゴム紐を、特に外方に向かって引っ張られるような外力を受けない限り、髪止め具の着用中に、離脱させてしまうおそれがない。このため、連通開口部を備えたゴム紐取付台を使用した髪止め具でも、着用中にゴム紐が装飾体から分離することにより装飾体を失くしてしまう心配なく、安心して髪止め具を使用することが可能となる。
【０００８】
上述のゴム紐取付台においては、周壁部が、取付部側において挿通孔の周縁を構成する部位である底壁部と、底壁部と対向する側において挿通孔の周縁を構成する部位である天井壁部と、底壁部と天井壁部との間において挿通孔の周縁を構成する部位である一対の側壁部と、を備え、連通開口部が、側壁部のいずれか一方における、天井壁部から離れた底壁部側の位置に設けられることが望ましい。
【０００９】
この構成によれば、ゴム紐取付台が取り付けられた髪止め具が着用される際には、ゴム紐の収縮力は、束ねられた頭髪の束の中心部、すなわち、ゴム紐取付台における周壁部の天井壁部側に向かって作用するから、連通開口部が側壁部の一方における天井壁部から離れた底壁部側に設けられていれば、一層、髪止め具の着用中に、ゴム紐が連通開口部から離脱して装飾体と分離してしまうおそれがなくなる。
【００１０】
また、本発明のゴム紐取付台では、挿通孔の軸直交方向における断面図において、連通開口部が、周壁部の周方向における開口幅を、周壁部の外周側から内周側に向かって狭めるような形状に形成されることが望ましい。この構成では、周壁部における連通開口部の周縁を構成する部位が、外周側から内周側に向かって下り坂となるような断面略漏斗状に形成されることとなるから、ゴム紐の交換時に、新しいゴム紐を連通開口部に沿って配置すれば、ゴム紐の外周側の領域の一部が周壁部の外周面において略漏斗状に落ち込んだ部位に嵌りこむ態様となるため、連通開口部に対するゴム紐の位置決めが容易となり、またゴム紐がこの連通開口部の周縁における断面略漏斗状の部位に案内されて、連通開口部の開口幅の縮小に伴って徐々に縮径されて挿通孔に収容されることとなるから、ゴム紐交換作業が容易となる。
【００１１】
さらに、上述のゴム紐取付台における連通開口部を臨む正面視において、連通開口部における挿通孔の軸方向における少なくとも一方の端部が、周壁部の端縁から中間部位に向かって上下方向の開口幅を徐々に狭めるように形成されていればなお望ましい。この構成によれば、連通開口部を臨む正面視において、連通開口部の長さ方向の端部に、開口幅が徐々に縮小してゴム紐の挿入を案内するような略漏斗状の部位が形成されることとなるから、連通開口部の開口幅が周壁部の端縁に至るまで均一に形成された場合と比較して、ゴム紐の挿入が容易となる。
【００１２】
上述のゴム紐取付台において、取付部に、保持部から外方に突出するように設けられる鍔部を設け、鍔部における保持部を挟んだ両側の位置に一対の取付孔を設ける構成としてもよい。この構成によれば、ゴム紐取付台が結合される装飾体の部位が溶着や接着に適さない布帛や皮革等の素材からなる場合に、鍔部に設けられた取付孔を利用して、装飾体にゴム紐取付台を縫着等により結合することができるから、ゴム紐取付台が、より幅広い範囲の素材の装飾体に対して適用可能となる。
【図面の簡単な説明】
【００１３】
【図１】本発明の一実施形態であるゴム紐取付台を備えた髪止め具の斜視図である。
【図２】図１に示したゴム紐取付台の斜視図である。
【図３】図２のゴム紐取付台の下方から見た斜視図である。
【図４】図２のゴム紐取付台における、挿通孔の軸直交方向の断面図である。
【図５】図１の髪止め具を着用した状態を示す概略断面図である。
【図６】本発明の別の実施形態のゴム紐取付台を使用した髪止め具を示す斜視図である。
【図７】図６に示したゴム紐取付台の下方から見た斜視図である。
【図８】本発明のさらに別の実施形態のゴム紐取付台の斜視図である。
【図９】図８のゴム紐取付台の正面図である。
【図１０】本発明のさらに別の実施形態のゴム紐取付台を示すものであり、（ａ）は右上前方から見た斜視図、（ｂ）は左下後方から見た斜視図である。
【発明を実施するための形態】
【００１４】
以下に本発明の望ましい実施形態を図面に基づいて説明する。
【００１５】
図１は、本発明の一実施形態であるゴム紐取付台Ｍを使用した髪止め具Ｇを示す。髪止め具Ｇは、ゴム紐取付台Ｍの他、環状ゴム紐１１と、装飾体２２と、を備えるもので、環状ゴム紐１１により頭髪を束ね、束ねた頭髪の部位の外周側に装飾体２２を配置させて使用（着用）するものである。
【００１６】
環状ゴム紐１１（以下、単にゴム紐１１ということがある）は、その伸縮性を利用して、頭髪に巻き付ける等して束ねるもので、天然ゴム等からなるゴム糸を、伸縮性を有するナイロン等の糸を組む等して成した被覆材により被覆して形成した線状のゴム紐を、環状にしたものである。実施形態のゴム紐１１は、線状ゴム紐の両端を接着等により結合させて、結び目の無い環状に形成されている。本実施形態では、ゴム紐１１として外径約４ｍｍのものを使用している。
【００１７】
装飾体２２は、髪止め具Ｇの着用時に、頭髪を束ねた環状ゴム紐１１の外周側に配置させて、ゴム紐１１の存在を目立たなくしつつ頭髪を装飾するものであり、少なくとも着用時に外周側となる部位（すなわち、表面２２ａ）に装飾部２４を備える。そして装飾部２４の配置される表面２２ａと反対側の裏面２２ｂに、ゴム紐取付台Ｍの配置される台設置部２２ｃを備える。装飾体２２は、少なくとも台設置部２２ｃ付近の領域を、真鍮等の金属製とする。実施形態では、装飾体２２全体が金属製としている。
【００１８】
本発明の一実施形態であるゴム紐取付台Ｍは、ゴム紐１１を装飾体２２に取り付ける部材である。図１に示す髪止め具Ｇでは、ゴム紐取付台Ｍは、装飾体２２の裏面２２ｂにおける略中央部に位置する台設置部２２ｃに取付られている。ゴム紐取付台Ｍは、装飾体２２とは別体で用意されて、髪止め具Ｇの組み付け時に装飾体２２に結合されるものである。本実施形態では、ゴム紐取付台Ｍは、真鍮等の金属から形成され、ロウ付け等の溶着により、金属製の装飾体２２の台設置部２２ｃに結合されている。
【００１９】
装飾体２２に結合される前のゴム紐取付台Ｍを、図２から図４に示す。ゴム紐取付台Ｍは、装飾体２２に結合される部位である取付部３１と、ゴム紐１１を保持する保持部４２と、を備えて構成される。なお、本明細書では、図２におけるＦを前面（正面）、Ｂを背面、Ｕを上方、Ｄを下方、Ｌを左、Ｒを右として説明する。
【００２０】
取付部３１は、装飾体２２に連結される取付面３３を備える。図１に示す髪止め具Ｇでは、この取付面３３が、ロウ付け等により装飾体２２の台設置部２２ｃに結合されることにより、ゴム紐取付台Ｍが装飾体２２に連結される。本実施形態では、取付部３１は、後述する挿通孔４４の軸方向に沿った長さＬ１を１２ｍｍとしている。なお本明細書でいう取付面の装飾体に対する連結態様は、本実施形態におけるように取付面３３の全面が溶着や接着により装飾体に連結される態様のみならず、後述するゴム紐取付台ＭＡの取付面３３Ａのように、別途の縫い糸Ｔにより取付部３１Ａが装飾体２２Ａに取り付けられて取付面３３Ａが装飾体２２Ａに対して密着するように当接するような態様も含むものとする。
【００２１】
ゴム紐１１を保持するための保持部４２は、取付部３１における、装飾体２２に連結される側（すなわち取付面３３）とは反対側に設けられるもので、ゴム紐１１が挿通される挿通孔４４と、挿通孔４４の周縁を構成して挿通孔４４に挿通されたゴム紐１１を保持する周壁部４６と、を備えて、略円筒形に形成される。本実施形態では、取付部３１と保持部４２とは、一体的に成型されており、ゴム紐取付台Ｍとしては、略直方体状の取付部３１と、略円筒形状の保持部４２とを合体させたような形状に形成されている。保持部４２の挿通孔４４の軸方向における長さＬ２は、取付部３１の長さＬ１と等しい１２ｍｍである。本実施形態では、挿通孔４４は、断面略円形として取付部３１の取付面３３と平行に延びるように形成され、両端に、ゴム紐１１を突出させる突出口４４ａ，４４ｂを備える。本実施形態の挿通孔４４は、内径Ｄを約６ｍｍに設定されている。周壁部４６は、挿通孔４４の周縁を構成するもので、図４に示すように、取付部３１側において挿通孔４４の周縁を構成する底壁部４６ａと、底壁部４６ａと対向する側において挿通孔４４の周縁を構成する部位である天井壁部４６ｂと、底壁部４６ａと天井壁部４６ｂとの間の側部において挿通孔４４の周縁を構成し、相互に対向する一対の側壁部４６ｃ，４６ｄと、を備える。側壁部４６ｃは、底壁部４６ａと天井壁部４６ｂとを連結するように設けられ、もう一方の側壁部４６ｄは、後述するように連通開口部５１が設けられるため、底壁部４６ａと天井壁部４６ｂとの間の中間部位において分断される構成としている。なお、天井壁部４６ｂや側壁部４６ｃの、厚みの薄い部位において、周壁部４６の厚み（図符号省略）は、約１ｍｍである。
【００２２】
周壁部４６には、環状ゴム紐１１の出し入れに使用される連通開口部５１が設けられる。連通開口部５１は、挿通孔４４の内と外と（すなわち挿通孔４４の内部と周壁部４６の外周側と）を連通させるように設けられる線状の開口部であって、挿通孔４４の軸方向に沿って、挿通孔４４の軸方向における周壁部４６の一方の端縁４６ｅから他方の端縁４６ｆまで、周壁部４６の全長に亘って連続的に設けられる。すなわち、連通開口部５１は、挿通孔４４の軸方向に沿って周壁部４６を部分的に分断するように設けられるもので、両端部５１ａ，５１ｂにおいて、挿通孔４４の両端の突出口４４ａ，４４ｂと連通する。本実施形態では、連通開口部５１は、上述したように、周壁部４６における底壁部４６ａと天井壁部４６ｂとの間の側部において挿通孔４４の周縁を構成する一対の側壁部４６ｃ，４６ｄの一方である側壁部４６ｄに設けられる。具体的にいえば、連通開口部５１は、側壁部４６ｄにおける、天井壁部４６ｂから離れた底壁部４６ａ側の位置に設けられている。さらに詳細には、連通開口部５１は、側壁部４６ｄにおいて、断面略円形の挿通孔４４の円弧面状の内周面４６ｈにおける底壁部４６ａ側、すなわち取付部３１側、の略１／２の領域４６ｈｕ（図４）に開口するように設けられている。
【００２３】
この連通開口部５１は、周壁部４６の周方向における開口幅を、環状ゴム紐１１を縮径させた状態での出入りを許容する幅に設定されている。本実施形態では、図４に示すように、連通開口部５１の周壁部４６の周方向における開口幅は、最も狭い部位（すなわち、周壁部の内周側４６ｈの部位）において約１ｍｍと、ゴム紐１１の外径４ｍｍの約４分の１に設定されている。この寸法は、連通開口部５１を経てゴム紐１１を挿通孔４４内に収容させる際に、ゴム紐１１を縮径させて通行可能とする寸法であり、また、一旦挿通孔４４内に収容されて径を復元させたゴム紐１１が、特に外方に向かって引っ張られるような外力を受けない限り、保持部４２からの離脱を不能とする寸法である。
【００２４】
なお本実施形態では、図４に示すように、連通開口部５１は、周壁部４６の軸直交方向における断面図において、周壁部４６の内周側４６ｈにおける周方向の開口幅Ｗ２を、外周側４６ｇにおける周方向の開口幅Ｗ１より小さくした形状に形成されている。具体的には、周壁部４６の外周側４６ｇから内周側４６ｈに向かって周方向における連通開口部５１の開口幅を徐々に狭まらせた形状に形成されている。さらに詳細には、本実施形態では、周壁部４６における連通開口部５１の上側周縁を構成する部位４６ｉと下側周縁を構成する部位４６ｊとが、ともに外周側４６ｇから内周側４６ｈに向かって斜めに切り欠かれたような形状に形成され、上側周縁４６ｉと下側周縁４６ｊとに、外周側４６ｇから内周側４６ｈに向かって下り坂となるような案内面７０，７０が形成されている。本実施形態では、周壁部４６の内周側（すなわち、上述した最も開口幅の小さい部位）４６ｈにおける連通開口部５１の周方向における開口幅Ｗ２は約１ｍｍとし、外周側４６ｇにおける開口幅Ｗ１は約３ｍｍとしている。なお、本実施形態では、連通開口部５１の開口幅Ｗ１、Ｗ２は、挿通孔４４の軸方向の全長に亘って均一に形成される。
【００２５】
以上のように形成されたゴム紐取付台Ｍでは、ゴム紐１１を縮径された状態で出し入れ可能とするように、ゴム紐１１を挿通させるための挿通孔４４の周壁部４６に、挿通孔４４の軸方向に沿って、周壁部４６を全長に亘って分断して挿通孔４４の内と外とを連通するように延びる連通開口部５１が設けられている。
【００２６】
このようなゴム紐取付台Ｍにおいては、環状ゴム紐１１が切れたり伸びてしまったりした際に、古いゴム紐１１を取り除き、新しいゴム紐１１を連通開口部５１に沿って配置し、保持部４２の両脇に配置されたゴム紐１１の部位を両手で把持し、挿通孔４４の内部に向かって押し込むように力を加えれば、ゴム紐１１が縮径して連通開口部５１を通行し、挿通孔４４の内部に収容されるから、使用者が自分で古い環状ゴム紐１１を新しい環状ゴム紐１１と交換することができ、髪止め具Ｇに適用された場合、お気に入りの装飾体２２をさらに長く使用することができる。そして、連通開口部５１は、ゴム紐１１を縮径させた状態での出入りを可能とするような周壁部４６の周方向の開口幅、言い換えれば、ゴム紐１１を縮径させなければ通行できない開口幅に形成されているから、ゴム紐１１が一旦挿通孔４４の内部に収容されてしまえば、ゴム紐１１の外径が復元するため、特に外方に向かって引っ張られるような外力を受けない限り、髪止め具Ｇの着用中に、ゴム紐１１が連通開口部５１から離脱してゴム紐１１と装飾体２２とが分離してしまうおそれがない。このため、連通開口部５１を備えたゴム紐取付台Ｍを使用した髪止め具Ｇでも、着用中に装飾体２２を失くしてしまう心配なく、安心して髪止め具Ｇを使用することができる。
【００２７】
また、本実施形態のゴム紐取付台Ｍでは、連通開口部５１が、挿通孔４４の周壁部４６における、装飾体２２に取り付けられる取付部３１側の部位である底壁部４６ａと、底壁部４６ａと対向する側である天井壁部４６ｂと、の間の部位を構成する側壁部４６ｄにおける、天井壁部４６ｂから極力離れた底壁部４６ａ側の位置に設けられている。ゴム紐取付台Ｍが髪止め具Ｇの装飾体２２に取り付けられ、髪止め具Ｇが着用される際には、図５に示すように、ゴム紐１１の収縮力ＣＦは、束ねられた頭髪Ｈの束の中心部、すなわち、ゴム紐取付台Ｍにおける周壁部４６の天井壁部４６ｂ側に向かって作用するから、本実施形態のように、連通開口部５１が天井壁部４６ｂから離れた底壁部４６ａ側に設けられていれば、一層、髪止め具Ｇの着用中に、ゴム紐１１が連通開口部５１から離脱して装飾体２２と分離してしまうおそれがなくなる。
【００２８】
さらに、本実施形態のゴム紐取付台Ｍでは、連通開口部５１が、周壁部４６の周方向における開口幅を、外周側４６ｇから内周側４６ｈに向かって狭めるような形状に形成されている。この構成によれば、図４に示すように、周壁部４４における連通開口部５１の周縁を構成する部位に、外周側４６ｇから内周側４６ｈに向かって下り坂となるような断面略漏斗状の案内面７０が形成されることとなるから、ゴム紐の交換時に、新しいゴム紐１１を連通開口部５１に沿って配置すれば、ゴム紐１１の外周側の領域の一部が周壁部４６の外周面４６ｇにおいて略漏斗状に落ち込んだ部位に嵌りこむ態様となるため、連通開口部５１に対するゴム紐１１の位置決めが容易となり、またゴム紐１１がこの連通開口部５１の周縁における断面略漏斗状の案内面７０に案内されて、連通開口部５１の開口幅の縮小に伴って徐々に縮径されて挿通孔４４に収容されることとなるから、ゴム紐交換作業が容易となる。特に本実施形態では、周壁部４６における連通開口部５１の上側周縁４６ｉと下側周縁４６ｊとが、ともに外周側４６ｇから内周側４６ｈに向かって斜めに切り欠かれたような形状に形成され、上側周縁４６ｉと下側周縁４６ｊとの両方に、外周側４６ｇから内周側４６ｈに向かって相互に近づくように下り坂となるような案内面７０，７０が形成されるから、両方の案内面７０，７０に案内されて、ゴム紐交換作業が一層容易となる。
【００２９】
このような作用効果を考慮しなければ、連通開口部５１の開口幅を、周壁部４４の外周側から内周側に至るまで均一な形状に形成してもよい。また、周壁部４６における連通開口部５１の周縁を構成する部位である上側周縁４６ｉと下側周縁４６ｊのうち、どちらか一方のみを内周側４６ｈに向かって斜めに切り欠くようにして、開口幅を外周側４６ｇから４６ｈに向かって狭めるような構成としてもよい。
【００３０】
図６は、別の実施形態のゴム紐取付台ＭＡを使用した髪止め具ＧＡを示す。髪止め具ＧＡは、前述の実施形態の髪止め具Ｇと同様、ゴム紐取付台ＭＡの他、環状ゴム紐１１と、装飾体２２Ａと、を備える。環状ゴム紐１１は前述の髪止め具Ｇで使用する環状ゴム紐１１と同様のものであるので、詳細な説明は省略する。
【００３１】
装飾体２２Ａは、前述の装飾体２２と同様、着用時に外周側となる表面２２ａ側に装飾部２４を備え、表面２２ａと反対側の裏面２２ｂに、ゴム紐取付台ＭＡの配置される台設置部２２ｃを備える。図６に示す髪止め具ＧＡの装飾体２２Ａでは、装飾部２４が布帛により形成され、台設置部２２ｃは、装飾部２４の素材とは異なる布帛や皮革等の可撓性を有する素材からなる。
【００３２】
図７に示すように、ゴム紐取付台ＭＡは、前述のゴム紐取付台Ｍと同様、髪止め具ＧＡの装飾体２２Ａに結合される部位である取付部３１Ａと、取付部３１Ａにおける装飾体２２Ａに連結される部位である取付面３３Ａとは反対側に設けられる保持部４２と、を備えて構成される。ゴム紐取付台ＭＡにおける保持部４２の構成は、挿通孔４４の軸方向における長さＬ２も含め、前述のゴム紐取付台Ｍと同様であるので詳細な説明は省略する。取付部３１Ａは、ゴム紐取付台１１を上側から見た場合に、保持部４２から外方に突出するように設けられる鍔部１３３を備える。本実施形態では、鍔部１３３は、保持部４２の下方から挿通孔４４の軸方向の両側に大きく突出し、軸直交方向にわずかに突出する平板状に形成される。本実施形態では、鍔部１３３における、保持部４２から軸方向の両側に突出する部位の長さ（図符号省略）をそれぞれ約６ｍｍとし、取付部３１Ａの挿通孔４４の軸方向における長さＬ３を２４ｍｍとしている。そして鍔部１３３は、保持部４２を挟んだ両側の位置に、挿通孔４４の軸直交方向に鍔部１３３を貫通する一対の取付孔１３５、１３５を備える。
【００３３】
この構成によれば、ゴム紐取付台ＭＡが結合される装飾体２２Ａの台取付部２２ｃがロウ付け等の溶着あるいは接着に適さない布帛や皮革等の素材からなる場合に、鍔部１３３に設けられた取付孔１３５，１３５を利用して、適宜縫い糸Ｔ等を使用して装飾体２２Ａにゴム紐取付台ＭＡを縫着により結合することができるから、ゴム紐取付台ＭＡが、より幅広い範囲の素材の装飾体２２Ａに対して適用可能となる。
【００３４】
図８及び図９は、さらに別の実施形態のゴム紐取付台ＭＢを示す。図９は、ゴム紐取付台ＭＢの、連通開口部５１Ｂを臨む正面図である。このゴム紐取付台ＭＢは、連通開口部５１Ｂを除き、前述のゴム紐取付台Ｍと同様の構成であり、共通する部位の詳細な説明は省略する。ゴム紐取付台ＭＢにおける連通開口部５１Ｂでは、挿通孔４４の突出口４４ａ，４４ｂと連通する長さ方向の両端部（挿通孔４４の軸方向における両端部）５１ａ，５１ｂにおける少なくともいずれか一方が、ゴム紐取付台ＭＢにおける連通開口部５１Ｂを臨む正面視において、隣接部位５１ｃから周壁部４６の軸方向における端縁４６ｅ，４６ｆに向かって上下方向の開口幅を徐々に拡幅するように、言い換えれば、周壁部４６の軸方向における端縁４６ｅ，４６ｆから中間部位４６ｋに向かって上下方向の開口幅を徐々に狭めるように形成されている。具体的には、ゴム紐取付台ＭＢでは、周壁部４６における連通開口部５１の上側周縁と下側周縁とを構成する部位４６ｉ，４６ｊが、共に軸方向の端縁４６ｅ，４６ｆにおいて斜めに切り欠かれることにより、連通開口部５１Ｂの上下方向の開口幅を周壁部の端縁４６ｅ，４６ｆから中間部位４６ｋに向かって徐々に縮小される構成としている。図８及び図９に示すゴム紐取付台ＭＢでは、連通開口部５１Ｂは、両端部５１ａ，５１ｂの両方において、開口幅を周壁部の端縁４６ｅ，４６ｆから中間部位４６ｋに向かって徐々に縮小される構成としている。
【００３５】
この構成によれば、連通開口部５１Ｂを臨む正面視において、連通開口部５１Ｂの長さ方向の端部５１ａ，５１ｂに、開口幅が徐々に縮小してゴム紐１１の挿入を案内するような略漏斗状の案内面５５が形成されることとなるから、ゴム紐１１を連通開口部５１Ｂを経て挿通孔４４内に押し込む際に、図９において二点鎖線で示すように、ゴム紐１１を、連通開口部５１Ｂの端部５１ａ，５１ｂにおける案内面５５に当接させて、開口幅の縮小に伴って縮径させていくことができる。したがって、連通開口部の開口幅が周壁部４６の端縁４６ｅ，４６ｆに至るまで均一に形成されて案内面５５が形成されない場合と比較して、ゴム紐１１の挿入が容易となる。なお、ゴム紐取付台ＭＢでは、連通開口部５１Ｂの上側周縁４６ｉと下側周縁４６ｊとの両方において案内面５５，５５が形成されるものとしたが、上側周縁４６ｉと下側周縁４６ｊとのいずれか一方のみに案内面５５が形成されることにより、連通開口部５１の開口幅が、周壁部４６の端縁４６ｅ，４６ｆから中間部位４６ｋに向かって徐々に狭まるように形成してもよい。
【００３６】
上述したゴム紐取付台ＭＡは金属製としたが、ゴム紐取付台の素材はこれに限られず、装飾体側に接着剤等を利用して連結される合成樹脂製としてもよい。
【００３７】
また、上述したゴム紐取付台Ｍ，ＭＡ及びＭＢでは、周壁部４６の天井壁部４６ｂ側の外形を略円筒状としたが、図１０に示すゴム紐取付台ＭＣのように、四角筒形としてもよい。また、挿通孔４４の形状も、断面円形でなく断面四角柱状としてもよい。
【００３８】
また連通開口部５１，５１Ｂは、挿通孔４４の軸方向に沿って直線状に設けられるものとしたが、連通開口部の形状はこれに限らず、例えば中間部位で湾曲するような形状としてもよい。
【符号の説明】
【００３９】
１１  ・・・  ゴム紐
２２，２２Ａ  ・・・  装飾体
３１，３１Ａ  ・・・  取付部
４２  ・・・  保持部
４４  ・・・  挿通孔
４６  ・・・  周壁部
４６ａ  ・・・  底壁部
４６ｂ  ・・・  天井壁部
４６ｃ，４６ｄ  ・・・  側壁部
４６ｅ，４６ｆ  ・・・  端縁
４６ｇ  ・・・  外周側
４６ｈ  ・・・  内周側
４６ｋ  ・・・  中間部位
５１，５１Ｂ  ・・・  連通開口部
５１ａ，５１ｂ  ・・・  端部
１３３  ・・・  鍔部
１３５  ・・・  取付孔
Ｇ，ＧＡ  ・・・  髪止め具
Ｍ，ＭＡ，ＭＢ，ＭＣ  ・・・  ゴム紐取付台
【図１】
2019000535.tif 000003
【図２】
2019000535.tif 000004
【図３】
2019000535.tif 000005
【図４】
2019000535.tif 000006
【図５】
2019000535.tif 000007
【図６】
2019000535.tif 000008
【図７】
2019000535.tif 000009
【図８】
2019000535.tif 000010
【図９】
2019000535.tif 000011
【図１０】
2019000535.tif 000012